(57)【要約】【課題】従来のシステムでは、ユーザは、設定項目が配列された設定画面で各スピードライトのパラメータを設定する。そのため、ユーザは、被写体領域の一部の明るさを変更したいときに、どのスピードライトが当該部分領域の明るさに影響を及ぼすかを把握していなければならなかった。【解決手段】照射制御装置は、被写体領域の部分領域を撮像部が取得した画像を用いて指定する部分領域指定と、外部照射装置に対する照射制御指示とをユーザから受け付ける受付部と、照射制御指示に基づく制御信号を、部分領域に関連付けられた外部照射装置へ送信する送信部とを備える。【選択図】図１
2013250524.tif 000002
【特許請求の範囲】
【請求項１】
被写体領域の部分領域を撮像部が取得した画像を用いて指定する部分領域指定と、外部照射装置に対する照射制御指示とをユーザから受け付ける受付部と、
前記照射制御指示に基づく制御信号を、前記部分領域に関連付けられた前記外部照射装置へ送信する送信部と
を備える照射制御装置。
【請求項２】
前記受付部は、前記外部照射装置が前記被写体領域を照射しているときに前記撮像部が取得した前記画像を用いて、前記部分領域指定を受け付ける請求項１に記載の照射制御装置。
【請求項３】
前記画像を表示する表示部を備え、
前記受付部は、前記表示部に表示されている前記画像の画像部分を指定する画像部分指定を、当該画像部分に対応する前記部分領域を指定する前記部分領域指定として受け付ける請求項１または２に記載の照射制御装置。
【請求項４】
前記表示部に対応付けて配置されるタッチパネルを備え、
前記受付部は、前記タッチパネルで前記画像部分指定を受け付ける請求項３に記載の照射制御装置。
【請求項５】
前記受付部は、前記被写体領域の各部分領域と外部照射装置との関連付けを指示する関連指示を受け付ける請求項１から４のいずれか１項に記載の照射制御装置。
【請求項６】
前記受付部は、前記外部照射装置の発光素子の基準発光量を補正する調光量の指示または前記外部照射装置の発光素子の発光量の指示を前記照射制御指示として受け付ける請求項１から５のいずれか１項に記載の照射制御装置。
【請求項７】
前記受付部は、前記外部照射装置が前記被写体領域を照射する照射光の色成分を調整する色調整量の指示を前記照射制御指示として受け付ける請求項１から６のいずれか１項に記載の照射制御装置。
【請求項８】
請求項１から７のいずれか１項に記載の照射制御装置と、
前記撮像部と
を備える撮像装置。
【請求項９】
被写体領域の部分領域を撮像部が取得した画像を用いて指定する部分領域指定と、外部照射装置に対する照射制御指示とをユーザから受け付ける受付ステップと、
前記照射制御指示に基づく制御信号を、前記部分領域に関連付けられた前記外部照射装置へ送信する送信ステップと
をコンピュータに実行させる照射制御プログラム。
【発明の詳細な説明】
【技術分野】
【０００１】
本発明は、照射制御装置、撮像装置および照射制御プログラムに関する。
【背景技術】
【０００２】
スピードライトにおける調光量等のパラメータの設定情報をＰＣ等の情報処理装置からスピードライトへ送信するシステムが知られている。
［先行技術文献］
［特許文献］
［特許文献１］特開２０１１−４４８６７号公報
【発明の概要】
【発明が解決しようとする課題】
【０００３】
しかしながら、上述のシステムでは、ユーザは、設定項目が配列された設定画面で各スピードライトのパラメータを設定する。そのため、ユーザは、被写体領域の一部の明るさを変更したいときに、どのスピードライトが当該部分領域の明るさに影響を及ぼすかを把握していなければならなかった。
【課題を解決するための手段】
【０００４】
本発明の第１の態様における照射制御装置は、被写体領域の部分領域を撮像部が取得した画像を用いて指定する部分領域指定と、外部照射装置に対する照射制御指示とをユーザから受け付ける受付部と、照射制御指示に基づく制御信号を、部分領域に関連付けられた外部照射装置へ送信する送信部とを備える。
【０００５】
本発明の第２の態様における撮像装置は、上述の照射制御装置と、撮像部とを備える。
【０００６】
本発明の第３の態様における照射制御プログラムは、被写体領域の部分領域を撮像部が取得した画像を用いて指定する部分領域指定と、外部照射装置に対する照射制御指示とをユーザから受け付ける受付ステップと、照射制御指示に基づく制御信号を、部分領域に関連付けられた外部照射装置へ送信する送信ステップとをコンピュータに実行させる。
【０００７】
なお、上記の発明の概要は、本発明の必要な特徴の全てを列挙したものではない。また、これらの特徴群のサブコンビネーションもまた、発明となりうる。
【図面の簡単な説明】
【０００８】
【図１】本実施形態に係る照射システムの概念を説明する概念図である。
【図２】本実施形態に係るカメラのシステム構成図である。
【図３】スピードカメラと被写体領域の各部分領域との関連付けを登録する登録処理を説明する図である。
【図４】スピードライトの調光量を変更する調光量変更処理を説明する図である。
【図５】本実施形態における照射制御処理を示すフロー図である。
【図６】グループ入替処理を説明する図である。
【発明を実施するための形態】
【０００９】
以下、発明の実施の形態を通じて本発明を説明するが、以下の実施形態は特許請求の範囲にかかる発明を限定するものではない。また、実施形態の中で説明されている特徴の組み合わせの全てが発明の解決手段に必須であるとは限らない。
【００１０】
図１は、本実施形態に係る照射システムの概念を説明する概念図である。照射システムは、撮像装置としてのカメラ１０と、カメラ１０の外部に設置された外部照射装置としてのスピードライト５０とで構成される。カメラ１０は、レンズユニット２０およびカメラボディ３０を備える。カメラボディ３０には、レンズユニット２０が装着される。焦点距離、開放Ｆ値等の異なる種々のレンズユニット２０をカメラボディ３０に装着することができる。カメラボディ３０の背面には、液晶パネル等で構成され、画像、メニュー画面等を表示する表示部３１が設けられる。また、表示部３１のユーザ側において、ユーザの接触入力を受け付けるタッチパネル３２が表示部３１の表示画面に対応付けて配置される。
【００１１】
カメラ１０は、外部に設置されたスピードライト５０との間で無線通信可能な構成であり、スピードライト５０に外部の領域を照射させる照射指示信号等の照射制御信号をスピードライト５０へ送信する。スピードライト５０は、キセノン管、ＬＥＤ等の発光素子を備える。スピードライト５０は、カメラ１０からの照射指示信号に応じて発光素子を閃光発光させ、発光素子が発した光を予め定められた方向へ射出する。
【００１２】
図１に示すように、５台のスピードライト５０−１、５０−２、５０−３、５０−４、５０−５が被写体の周りに設置されている。カメラ１０は三脚で固定され、カメラ１０とスピードライト５０−１、５０−２、５０−３、５０−４、５０−５との相対的な位置関係は一定に保たれている。
【００１３】
本実施形態において、カメラ１０の撮影画角の範囲内における実空間上の被写体の領域を被写体領域と称する。スピードライト５０−１、５０−２は、カメラ１０のユーザから見て、被写体領域の一部である左側の部分領域へ向けて発光素子が発した光を射出するように設置されることにより、左側の部分領域を照射する。スピードライト５０−３、５０−４は、カメラ１０のユーザから見て、被写体領域の一部である右側の部分領域へ向けて発光素子が発した光を射出するように設置されることにより、右側の部分領域を照射する。スピードライト５０−５は、被写体の背後から被写体領域の一部である中央の部分領域へ向けて発光素子が発した光を射出するように設置されることにより、中央の部分領域を照射する。
【００１４】
以下の説明において、５台のスピードライト５０−１、５０−２、５０−３、５０−４、５０−５を総括する場合には「スピードライト５０」と称する。また、被写体の「左側」および「右側」は、カメラ１０のユーザを基準とする。また、被写体領域の一部である左側の部分領域、右側の部分領域および中央の部分領域を、それぞれ、左側領域、右側領域および中央領域と称する。なお、外部照射装置は、ＬＥＤ等の一定の光量で継続的に発光可能な発光素子を備えて被写体領域を継続的に照射する照射装置であってもよい。
【００１５】
ユーザは、スピードライト５０の各々にグループを設定することができる。本実施形態において、被写体領域の左側領域を照射するスピードライト５０−１、５０−２はグループＡに設定されている。被写体領域の右側領域を照射するスピードライト５０−３、５０−４はグループＢに設定されている。被写体の背後から被写体領域の中央領域を照射するスピードライト５０−５はグループＣに設定されている。なお、カメラ１０のメモリには、スピードライト５０のグループと被写体領域の各部分領域との関連付けを示す関連テーブルが予め記録されている。そして、カメラ１０は、関連テーブルを参照して、グループ単位で制御信号をスピードライト５０へ送信することができる。
【００１６】
カメラ１０は、ユーザから撮影指示を受け付けると、自動調光処理を実行して、スピードライト５０の発光素子の基準発光量を指示する制御信号をスピードライト５０の各々へ送信する。そして、カメラ１０は、照射指示信号をスピードライト５０へ送信し、スピードライト５０に被写体領域を照射させて撮像動作を実行する。撮像動作が終了すると、カメラ１０は、撮像画像を表示部３１に表示させる。
【００１７】
ユーザは、表示部３１に表示されている撮像画像を確認したときに、被写体領域の一部の明るさを変更して撮り直したい場合がある。そこで、本実施形態において、ユーザがカメラ１０の表示部３１に表示されている撮像画像を見ながらスピードライト５０の発光素子の発光量等を変更できる照射システムを提供する。
【００１８】
具体的には、まず、カメラ１０は、被写体領域全体に対応する撮像画像を表示部３１に表示させる。ユーザが、タッチパネル３２を接触操作して、明るさを変更したい被写体領域の一部である部分領域に対応する、撮像画像の一部である画像部分を指定する。カメラ１０は、当該画像部分の指定を、当該画像部分に対応する被写体領域の部分領域を指定する部分領域指定として受け付ける。例えば、ユーザが撮像画像の右側の画像部分を指定すると、カメラ１０は、右側の画像部分に対応する被写体領域の右側の部分領域を指定する部分領域指定として受け付ける。
【００１９】
次に、ユーザがタッチパネル３２を接触操作してスピードライト５０の調光量を入力すると、カメラ１０は、調光量を指示する調光指示信号を、部分領域指定により指定された部分領域に関連付けられたスピードライト５０へ送信する。例えば、上述したように、部分領域指定によって被写体領域の右側の部分領域が指定されている場合、カメラ１０は、調光指示信号を、被写体領域の右側領域に関連付けられたグループＢのスピードライト５０−３、５０−４へ送信する。
【００２０】
したがって、ユーザは、被写体領域の一部の明るさを変更するときに、どのスピードライトが当該部分領域の明るさに影響を及ぼすかを把握しておく必要はなく、表示部３１の画像を見ながら簡単な操作でスピードライト５０の設定を変更することができる。
【００２１】
図２は、本実施形態に係るカメラ１０のシステム構成図である。被写体光束は、光軸に沿って光学系を透過し、撮像素子１３３の受光面で被写体像として結像する。レンズユニット２０の光学系１２１は、レンズ群、絞り等の構成要素を含む。レンズシステム制御部１２０は、光学系１２１の構成要素の駆動を駆動する。また、レンズシステム制御部１２０は、レンズマウント接点１２２およびカメラマウント接点１３１を介してカメラシステム制御部１３０と接続され、相互に通信を実行しつつ協働してレンズユニット２０とカメラボディ３０を制御する。なお、レンズマウント接点１２２およびカメラマウント接点１３１は、それぞれ上述のレンズユニット２０側の通信端子およびカメラボディ３０側の通信端子を含む。
【００２２】
撮像部の少なくとも一部である撮像素子１３３は、光学系１２１を透過して入射する被写体光束を光電変換する素子であり、例えば、ＣＣＤ、ＣＭＯＳセンサが用いられる。撮像素子１３３は、受光面で結像した被写体像をアナログ信号に変換する。Ａ／Ｄ変換器１３４は、撮像素子１３３が出力するアナログ信号をデジタル信号に変換する。デジタル信号に変換された被写体像は、画像データとして順次処理される。
【００２３】
Ａ／Ｄ変換器１３４によりデジタル信号に変換された画像データは、画像処理部１３５へ引き渡される。画像処理部１３５は、ユーザが選択した撮影モード等に従って、画像データを規格化された画像フォーマットの画像データに変換する。例えば、画像処理部１３５は、静止画像としてＪＰＥＧファイルを生成する場合、色変換処理、ガンマ処理、ホワイトバランス処理等の画像処理を行った後に適応離散コサイン変換等を施して圧縮処理を行う。また、画像処理部１３５は、動画像としてＭＰＥＧファイルを生成する場合、生成された連続する静止画としてのフレーム画像に対して、フレーム内符号化、フレーム間符号化を施して圧縮処理を行う。
【００２４】
メモリ制御部１３６は、いかなる作業にどれくらいのメモリ容量を割り当てるかを制御する。内部メモリ１３７は、高速で読み書きのできるランダムアクセスメモリであり、例えばＤＲＡＭ、ＳＲＡＭなどが用いられる。内部メモリ１３７は、画像処理部１３５が行う処理において、ワークメモリとしての役割を担う。また、内部メモリ１３７は、連写撮影、動画撮影において高速に連続して画像データが生成される場合に、画像処理の順番を待つバッファメモリとしての役割を担う。
【００２５】
画像処理部１３５によって処理された画像データは、メモリ制御部１３６の制御により、内部メモリ１３７から外部機器ＩＦ１３９を介して、記録媒体の記録部１４０に記録される。記録媒体は、フラッシュメモリ等により構成される、カメラボディ３０に対して着脱可能な不揮発性メモリである。
【００２６】
画像処理部１３５は、記録用に処理される画像データに並行して、表示用の画像データを生成する。表示制御部１３８は、カメラシステム制御部１３０の指示に従って、表示用の画像データの画像を表示部３１に表示させる。記録の有無に関わらず、画像処理部１３５が撮像素子１３３の出力に従って逐次表示用画像データを生成して表示部３１へ出力すれば、電子ビューファインダーとしてのライブビュー機能を実現することができる。表示制御部１３８は、カメラシステム制御部１３０の指示に従って、逐次表示用画像データを用いて、ライブビュー画像を表示部３１に表示させる。また、表示制御部１３８は、カメラシステム制御部１３０の指示に従って、画像の表示と共に、もしくは画像を表示することなく、カメラ１０の各種設定に関する様々なメニュー項目も表示部３１に表示させることができる。
【００２７】
カメラ１０は、上述の画像処理における各々の要素も含めて、カメラシステム制御部１３０により直接的または間接的に制御される。カメラシステム制御部１３０は、システムメモリ１３２を備える。システムメモリ１３２は、電気的に消去・記録可能な不揮発性メモリであり、例えばＥＥＰＲＯＭ（登録商標）等により構成される。システムメモリ１３２は、カメラ１０の動作時に必要な定数、変数、プログラム等を、カメラ１０の非動作時にも失われないように記録している。また、システムメモリ１３２は、スピードライト５０と被写体領域の各部分領域との関連付けを示す後述の関連テーブルを記録する。
【００２８】
カメラボディ３０は、電源１４２から電力供給を受ける。電源制御部１４１は、電源１４２と通信して残電力の検出、電力供給の監視、給電を行う。電源１４２は、２次電池、家庭用ＡＣ電源等により構成される。レンズユニット２０への給電は、レンズマウント接点１２２、カメラマウント接点１３１を介して行われる。
【００２９】
カメラボディ３０は、内蔵スピードライト１４３を備える。内蔵スピードライト１４３は、キセノン管、ＬＥＤ等の発光素子を備え、カメラシステム制御部１３０からの指示に従って、撮影時に発光素子を閃光発光させる。また、内蔵スピードライト１４３は、コマンドを示す光信号を外部のスピードライト５０へ送信する。具体的には、内蔵スピードライト１４３は、カメラシステム制御部１３０からの制御信号に応じて発光素子を高速パルス発光させる。内蔵スピードライト１４３は、発光素子の高速パルス発光により、コマンド信号を光信号として外部のスピードライト５０へ送信する。
【００３０】
カメラボディ３０は、上述したタッチパネル３２以外に、撮影指示を受け付けるレリーズボタン、メニュー画面の表示指示を受け付けるメニューボタン、記録部１４０の画像データの再生指示を受け付ける再生ボタン等の複数の操作部材１４４を備える。タッチパネル３２および操作部材１４４は、ユーザから受け付けた操作に応じた操作情報をカメラシステム制御部１３０へ出力する。本実施形態において、カメラシステム制御部１３０は、タッチパネル３２および操作部材１４４と協働して、ユーザの各種入力を受け付ける受付部としての役割を担う。
【００３１】
カメラシステム制御部１３０は、操作部材１４４の出力に応じて各種動作を実行する。具体的には、カメラシステム制御部１３０は、レリーズボタンの１段階目の押下げであるスイッチＳＷ１のオンを検知すると撮影準備動作であるＡＦ、ＡＥ等を実行する。また、カメラシステム制御部１３０は、スイッチＳＷ１のオンを検知すると、外部のスピードライト５０の発光素子の発光量を設定するための自動調光処理を実行する。
【００３２】
具体的には、カメラシステム制御部１３０は、内蔵スピードライト１４３を制御して、スピードライト５０の発光素子をプリ発光させるプリ発光指示信号を、スピードライト５０へ１つずつ順番に送信する。次に、カメラシステム制御部１３０は、スピードライト５０の発光素子がプリ発光したときの被写体の輝度を順次取得し、スピードライト５０の各々に対して適正な基準発光量を算出する。そして、カメラシステム制御部１３０は、基準発光量の設定を指示する発光量設定信号をスピードライト５０の各々へ送信する。スピードライト５０は、発光量設定信号を受信すると発光素子の発光量の設定を変更する。
【００３３】
カメラシステム制御部１３０は、レリーズボタンの２段階目の押下げであるスイッチＳＷ２のオンを検知すると撮像動作を実行する。具体的には、カメラシステム制御部１３０は、シャッタを駆動して撮像素子１３３による被写体像の取得処理を実行する。そして、カメラシステム制御部１３０は、画像処理部１３５と協働して画像データを生成する画像処理を実行する。なお、カメラシステム制御部１３０は、被写体像の取得動作時に、露出値に応じて、内蔵スピードライト１４３を制御して外部のスピードライト５０による照射を指示する照射指示信号を外部のスピードライト５０へ送信する。
【００３４】
次に、本実施形態に係る照射システムを用いた静止画撮影について説明する。なお、本実施形態において、カメラ１０の内蔵スピードライト１４３は、被写体領域を照射するための閃光発光を発光素子に実行させずに、コマンドを示す光信号を外部のスピードライト５０へ送信する送信部として機能する。なお、カメラシステム制御部１３０は、内蔵スピードライト１４３の発光素子を閃光発光させて被写体領域を照射する場合には、内蔵スピードライト１４３を、被写体領域の中央領域を照射する照射装置として制御する。
【００３５】
図３は、スピードライト５０と被写体領域の各部分領域との関連付けを登録する登録処理を説明する図である。撮影前において、ユーザは、スピードライト５０と被写体領域の各部分領域との関連付けを指示すると、カメラシステム制御部１３０は、スピードライト５０と被写体領域の各部分領域との関連付けを示す関連テーブルをシステムメモリ１３２に記録する。なお、本実施形態において、被写体領域は、左右方向に三分割された、左側領域、中央領域および右側領域の３つの部分領域に予め区分されており、各部分領域に対してスピードライト５０のグループが関連付けられる。
【００３６】
ユーザがメニュー画面で外部スピードライトの登録処理のメニュー項目を選択すると、カメラシステム制御部１３０は、外部スピードライトの登録モードに移行する。そして、カメラシステム制御部１３０は、図３（ａ）の画面を表示部３１に表示させる。具体的には、カメラシステム制御部１３０は、被写体領域全体に対応するライブビュー画像２００を表示部３１に表示させる。また、カメラシステム制御部１３０は、被写体領域の部分領域に対応するライブビュー画像２００の画像部分の境界を示す境界線２１１、２１２をライブビュー画像２００に重畳表示させる。
【００３７】
図３（ａ）の画面の表示中にユーザがタッチパネル３２を接触操作して被写体領域の右側領域に対応するライブビュー画像２００の右側の画像部分を指定すると、カメラシステム制御部１３０は、図３（ｂ）の画面を表示部３１に表示させる。具体的には、カメラシステム制御部１３０は、ライブビュー画像２００の右側の画像部分の範囲を強調する強調枠２１３がライブビュー画像２００に重畳表示させる。強調枠２１３内の中央には、当該右側の画像部分に対応する被写体領域の右側領域に現在関連付けられているグループが表示される。なお、関連付けられているグループがない場合には、図３（ｂ）に示すように「なし」が表示される。
【００３８】
カメラシステム制御部１３０は、スピードライト５０のグループを選択するためのグループ選択メニュー２２０をライブビュー画像２００に重畳表示させる。グループ選択メニュー２２０には、グループＡを選択するためのＡボタン２２１、グループＢを選択するためのＢボタン２２２およびグループＣを選択するためのＣボタン２２３が含まれている。
【００３９】
図３（ｂ）の画面の表示中にユーザがＢボタン２２２の表示領域に対応するタッチパネル３２の位置を接触操作すると、カメラシステム制御部１３０は、システムメモリ１３２内の関連テーブルを編集して、グループＢに属するスピードライト５０と、指定されたライブビュー画像２００の右側の画像部分と被写体領域の右側領域とを関連付けを示す関連テーブルをシステムメモリ１３２に記録する。そして、カメラシステム制御部１３０は、グループＢに属するスピードライト５０と被写体領域の右側領域との関連付けが登録された旨を示す図３（ｃ）の画面を表示部３１に表示させる。
【００４０】
ユーザは、上述した一連の登録処理を被写体領域の左側領域および中央領域に対しても行って、スピードライト５０と被写体領域の各部分領域との関連付けを示す関連テーブルをシステムメモリ１３２に登録する。ユーザは、撮影前にスピードライト５０と被写体領域の各部分領域との関連付けを登録しておくことにより、後述するようにスピードライト５０を指定することなく被写体領域の部分領域の照射制御指示を行うことができる。
【００４１】
図４は、スピードライト５０の調光量を変更する調光量変更処理を説明する図である。ユーザがレリーズボタンを押下して撮影指示を行うと、カメラシステム制御部１３０は、上述した自動調光処理を実行し、内蔵スピードライト１４３を制御して基準発光量の設定を指示する発光量設定信号をスピードライト５０の各々へ送信する。そして、カメラシステム制御部１３０は、内蔵スピードライト１４３を制御して照射指示信号をスピードライト５０へ送信し、スピードライト５０に被写体領域を照射させて撮影動作を実行する。
【００４２】
撮影動作が終了すると、カメラシステム制御部１３０は、図４（ａ）の画面を表示部３１に表示させる。具体的には、カメラシステム制御部１３０は、被写体領域全体に対応し、かつ撮像動作で取得した撮像画像３００を、表示部３１に表示させる。また、カメラシステム制御部１３０は、当該撮像画像３００の記録を指示するための記録ボタン３１１および調光量の変更を指示するための調光ボタン３１２を撮像画像３００に重畳表示させる。
【００４３】
ユーザは、撮像画像３００を確認して被写体領域の明るさに問題ないと判断すると、記録ボタン３１１の表示領域に対応するタッチパネル３２の位置を接触操作する。この場合、カメラシステム制御部１３０は、この撮像画像３００の画像データを記録部１４０に記録する。一方、ユーザは、被写体領域の明るさを変更して撮り直したい場合には、調光ボタン３１２の表示領域に対応するタッチパネル３２の位置を接触操作する。この場合、カメラシステム制御部１３０は、撮像画像３００の画像データを記録部１４０に記録せずに、調光量変更モードに移行する。
【００４４】
カメラシステム制御部１３０は、調光量変更モードに移行すると、被写体領域の部分領域を指定する部分領域指定を受け付ける受付画面として、図４（ｂ）の画面を表示部３１に表示させる。具体的には、カメラシステム制御部１３０は、被写体領域の部分領域に対応する撮像画像３００の画像部分の境界を示す境界線３２１、３２２を撮像画像３００に重畳表示させる。そして、カメラシステム制御部１３０は、撮像画像３００の画像部分の指定を、当該画像部分に対応する被写体領域の部分領域を指定する部分領域指定として受け付ける。
【００４５】
図４（ｂ）の画面の表示中にユーザがタッチパネル３２を接触操作して被写体領域の右側領域に対応する撮像画像３００の右側の画像部分を指定すると、カメラシステム制御部１３０は、図４（ｃ）の画面を表示部３１に表示させる。具体的には、カメラシステム制御部１３０は、撮像画像３００の右側の画像部分の範囲を強調する強調枠３２３を撮像画像３００に重畳表示させる。強調枠３２３内の中央には、当該右側の画像部分に対応する被写体領域の右側領域に現在関連付けられているグループ「Ｂ」が表示される。
【００４６】
また、カメラシステム制御部１３０は、スピードライト５０の発光素子の基準発光量を補正する調光量を入力するための調光量入力メニュー３３０を撮像画像３００に重畳表示させる。調光量入力メニュー３３０には、調光量のレベルを上げるための上ボタン３３１、調光量のレベルを下げるための下ボタン３３２および調光量を決定するための決定ボタン３３３が含まれる。
【００４７】
ユーザは、上ボタン３３１および下ボタン３３２の表示領域に対応するタッチパネル３２の位置を接触操作することにより、調光量のレベルを変更する。そして、ユーザは、希望する調光量を入力すると、決定ボタン３３３の表示領域に対応するタッチパネル３２の位置を接触操作する。カメラシステム制御部１３０は、決定ボタン３３３の表示領域に対応するタッチパネル３２の位置が接触操作されると、決定した調光量を指示する調光指示信号を、被写体領域の右側領域に関連付けられたグループＢに属するスピードライト５０−３、５０−４へ送信する。スピードライト５０−３、５０−４は、調光指示信号に応じて、発光素子の発光量の設定を変更する。したがって、ユーザは、被写体領域の一部の明るさを変更するときに、どのスピードライトが当該部分領域の明るさに影響を及ぼすかを把握しておく必要はなく、表示部３１の画像を見ながら簡単な操作でスピードライト５０の設定を変更することができる。
【００４８】
上述の実施形態では、カメラシステム制御部１３０は、撮像動作で取得した撮像画像の画像データを記録部１４０に記録する前に調光量の変更の指示をユーザから受け付けたが、これに限らない。カメラシステム制御部１３０は、撮像動作で取得した撮像画像の画像データを記録部１４０に記録した後の再生画像の表示中に調光量の変更の指示をユーザから受け付けてもよい。
【００４９】
具体的には、まず、ユーザが静止画撮影を行って撮影画像の画像データを記録部１４０に記録した後に再生ボタンを操作して記録部１４０の画像データの再生を指示する。カメラシステム制御部１３０は、ユーザの再生指示に応じて画像データの再生画像を表示部３１に表示させる。また、カメラシステム制御部１３０は、図４（ａ）を用いて説明した調光ボタン３１２を再生画像に重畳表示させる。ユーザがこの調光ボタン３１２の表示領域に対応するタッチパネル３２の位置を接触操作すると、カメラシステム制御部１３０は、調光量変更モードに移行し、上述と同様の処理を実行する。
【００５０】
図５は、本実施形態における照射制御処理のフロー図である。本フローは、カメラシステム制御部１３０がカメラ１０の電源のオン操作を検知した時点から開始される。なお、図３を用いて説明した登録処理によって、スピードライト５０と被写体領域の部分領域との関連付けを示すテーブルはシステムメモリ１３２に記録されている。
【００５１】
ステップＳ１０１では、カメラシステム制御部１３０は、フラグｆを０に初期設定する。本実施形態において、フラグｆ＝０は、ユーザが上述の調光量の変更を指示していないことを示し、フラグｆ＝１は、ユーザが上述の調光量の変更を指示したことを示す。ステップＳ１０２では、カメラシステム制御部１３０は、レリーズボタンのスイッチＳＷ１がオン操作されたか否かを判断する。カメラシステム制御部１３０は、スイッチＳＷ１がオン操作されていない場合にはステップＳ１１３へ移行し、スイッチＳＷ１がオン操作された場合にはステップＳ１０３へ移行する。
【００５２】
ステップＳ１０３では、カメラシステム制御部１３０は、フラグｆが１であるか否かを判断する。カメラシステム制御部１３０は、フラグｆが０である場合にはステップＳ１０４へ移行し、フラグｆが１である場合にはステップＳ１０５へ移行する。ステップＳ１０４では、カメラシステム制御部１３０は、上述した自動調光処理を実行する。ステップＳ１０５では、カメラシステム制御部１３０は、上述したＡＦおよびＡＥを実行する。
【００５３】
ステップＳ１０６では、カメラシステム制御部１３０は、レリーズボタンのスイッチＳＷ２がオン操作されたか否かを判断する。カメラシステム制御部１３０は、スイッチＳＷ１のオン操作後予め定められた時間内、例えば５秒以内にスイッチＳＷ２がオン操作されていないと判断した場合にはステップＳ１１３へ移行する。一方、カメラシステム制御部１３０は、スイッチＳＷ２がオン操作されたと判断した場合にはステップＳ１０７へ移行する。
【００５４】
ステップＳ１０７では、カメラシステム制御部１３０は、内蔵スピードライト１４３を制御して、外部のスピードライト５０へ照射指示信号を送信する。ステップＳ１０８では、カメラシステム制御部１３０は、スピードライト５０による被写体領域の照射にあわせて上述した撮像動作を実行する。ステップＳ１０９では、カメラシステム制御部１３０は、撮像動作で取得した撮像画像を表示部３１に表示させる。なお、カメラシステム制御部１３０は、ステップＳ１０４の判別処理およびステップＳ１０５の自動調光処理を、ステップＳ１０７の前に実行してもよい。
【００５５】
ステップＳ１１０では、カメラシステム制御部１３０は、図４（ａ）を用いて説明したように、調光量を変更する旨の指示をユーザから受け付けたか否かを判断する。カメラシステム制御部１３０は、調光量を変更する旨の指示を受け付けた場合にはステップＳ１１７へ移行し、調光量を変更する旨の指示を受け付けていない場合にはステップＳ１１１へ移行する。ステップＳ１１１では、カメラシステム制御部１３０は、ステップＳ１０８の撮像動作で取得した撮像画像の画像データを記録部１４０に記録する。ステップＳ１１２では、カメラシステム制御部１３０は、フラグｆを０に設定する。
【００５６】
ステップＳ１１３では、カメラシステム制御部１３０は、再生ボタンが操作されて再生モードへ移行するか否かを判断する。カメラシステム制御部１３０は、再生モードへ移行しない場合にはステップＳ１１６へ移行し、再生モードへ移行する場合にはステップＳ１１４へ移行する。ステップＳ１１４では、カメラシステム制御部１３０は、記録部１４０に記録されている画像データの再生画像を表示部３１に表示させる。
【００５７】
ステップＳ１１５では、カメラシステム制御部１３０は、図４（ａ）を用いて説明した調光ボタン３１２を表示部３１に表示させる。そして、カメラシステム制御部１３０は、調光量を変更する旨の指示をユーザから受け付けたか否かを判断する。カメラシステム制御部１３０は、調光量を変更する旨の指示を受け付けた場合にはステップＳ１１７へ移行し、調光量を変更する旨の指示を受け付けていない場合にはステップＳ１１６へ移行する。ステップＳ１１６では、カメラシステム制御部１３０は、カメラ１０の電源のオフ操作が行われたか否かを判断する。カメラシステム制御部１３０は、カメラ１０の電源のオフ操作が行われてない場合にはステップＳ１０２へ戻り、カメラ１０の電源のオフ操作が行われた場合には本フローを終了する。
【００５８】
カメラシステム制御部１３０は、ステップＳ１１０またはステップＳ１１５において調光量を変更する旨の指示を受け付けた場合にはステップＳ１１７へ移行する。ステップＳ１１７では、カメラシステム制御部１３０は、図４（ｂ）を用いて説明したように、被写体領域の部分領域を指定する部分領域指定をユーザから受け付ける。ステップＳ１１８では、カメラシステム制御部１３０は、図４（ｃ）を用いて説明したように、調光量の入力をユーザから受け付ける。
【００５９】
ステップＳ１１９では、カメラシステム制御部１３０は、調光量を指示する調光指示信号を、ステップＳ１１７で指定された部分領域に関連付けられたスピードライト５０へ送信する。ステップＳ１２０では、カメラシステム制御部１３０は、フラグｆを１に設定し、ステップＳ１０２へ戻る。
【００６０】
上述の図３を用いて説明した登録処理において、ユーザは、スピードライト５０と被写体領域の各部分領域との関連付けを間違えて登録してしまう場合がある。また、ユーザが被写体に対してカメラ１０の位置を移動させて、カメラ１０とスピードライト５０との相対的な位置関係が変更される場合がある。このような場合に、ユーザが図４を用いて説明した調光量の変更を指示して撮り直すと、ユーザが明るさを変更したい被写体領域の部分領域と異なる被写体領域の部分領域の明るさが変更されてしまう。
【００６１】
そこで、本実施形態において、カメラシステム制御部１３０は、撮り直しの撮像画像の調光量の変更と上述の部分領域指定を受け付けた場合に、当該部分領域に関連付けられているグループの変更の指示を受け付ける。撮り直しの撮像画像は、図５のフローにおいてフラグｆ＝１の状態での撮像動作で取得された撮像画像である。
【００６２】
具体的には、カメラシステム制御部１３０は、部分領域指定の後に当該部分領域に関連付けられているグループの変更の指示を受け付けるグループ変更ボタンを撮像画像に重畳表示させる。そして、ユーザが当該グループ変更ボタンの表示領域に対応するタッチパネル３２の位置を接触操作すると、カメラシステム制御部１３０は、図３（ｂ）を用いて説明したグループ選択メニュー２２０を撮像画像に重畳表示させて、グループの変更指示をユーザから受け付ける。
【００６３】
ここで、例えば、被写体領域の右側領域に関連付けるグループと左側領域に関連付けるグループとを取り違えた場合がある。また、カメラ１０を被写体の背面側へ移動させた場合に右側領域に関連付けられたグループと左側領域に関連付けられたグループとが実際の関係と反対になってしまう。このような場合に、右側領域に関連付けるグループと左側領域に関連付けるグループとを個別に変更することは、ユーザにとって煩わしい。そこで、本実施形態において、カメラシステム制御部１３０は、部分領域間のグループを入れ替えるグループ入替の指示をユーザから受け付け、グループ入替処理を実行する。
【００６４】
図６は、グループ入替処理を説明する図である。なお、図６の例において、カメラシステム制御部１３０は、撮り直しの撮像画像３００に対して、図４（ａ）を用いて説明した調光量の変更を受け付けて、図４（ｂ）の画面を表示部３１に表示させている場面を想定する。
【００６５】
図４（ｂ）の画面の表示中にユーザがタッチパネル３２を接触操作して被写体領域の右側領域に対応する撮像画像３００の右側の画像部分を指定すると、カメラシステム制御部１３０は、図６（ａ）の画面を表示部３１に表示させる。具体的には、カメラシステム制御部１３０は、撮像画像３００の右側の画像部分の範囲を強調する強調枠３２３を撮像画像３００に重畳表示させる。強調枠３２３内の中央には、当該右側の画像部分に対応する被写体領域の右側領域に現在関連付けられているグループ「Ｂ」が表示される。
【００６６】
また、カメラシステム制御部１３０は、項目選択メニュー４００を撮像画像３００に重畳表示させる。項目選択メニュー４００には、調光量入力処理へ移行するための調光量入力ボタン４０１、グループ変更処理へ移行するためのグループ変更ボタン４０２およびグループ入替処理へ移行するためのグループ入替ボタン４０３が含まれる。
【００６７】
ユーザが調光量入力ボタン４０１の表示領域に対応するタッチパネル３２の位置を接触操作すると、カメラシステム制御部１３０は、図４（ｃ）の画面を表示部３１に表示させて、調光量の入力をユーザから受け付ける。また、ユーザがグループ変更ボタン４０２の表示領域に対応するタッチパネル３２の位置を接触操作すると、カメラシステム制御部１３０は、図３（ｂ）を用いて説明したグループ選択メニュー２２０を撮像画像３００に重畳表示させて、グループの変更指示をユーザから受け付ける。
【００６８】
ユーザがグループ入替ボタン４０３の表示領域に対応するタッチパネル３２の位置を接触操作すると、カメラシステム制御部１３０は、図６（ｂ）の画面を表示部３１に表示させる。具体的には、カメラシステム制御部１３０は、被写体領域の左側領域に関連付けられたグループＡを選択するためのＡボタン４１１を、被写体領域の左側領域に対応する撮像画像３００の左側の画像部分の中央に重畳表示させる。また、カメラシステム制御部１３０は、被写体領域の中央領域に関連付けられたグループＣを選択するためのＣボタン４１２を、被写体領域の中央領域に対応する撮像画像３００の中央の画像部分の中央に重畳表示させる。
【００６９】
ユーザは、指定された部分領域に関連付けられたグループと入れ替えをしたい部分領域のグループを選択する。例えば、ユーザが撮像画像３００の左側の画像部分の中央に重畳表示されたＡボタン４１１の表示領域に対応するタッチパネル３２の位置を接触操作する、カメラシステム制御部１３０は、指定された部分領域に関連付けられたグループと、選択されたグループとを入れ替える。
【００７０】
具体的には、カメラシステム制御部１３０は、被写体領域の右側領域にグループＡを関連付け、左側領域にグループＢを関連付けた関連テーブルをシステムメモリ１３２に記録する。そして、カメラシステム制御部１３０は、グループＢとグループＡの入替処理が完了した旨を示す図４（ｃ）の画面を表示部３１に表示させる。したがって、ユーザは、スピードライト５０と部分領域との関連付けを間違えて登録した場合、カメラ１０を移動させてカメラ１０とスピードライト５０との相対的な位置関係が変更された場合に、スピードライト５０と部分領域との関連付けを容易に修正することができる。
【００７１】
上述の実施形態では、被写体領域は、左右方向に区分されたが、上下方向に区分されてもよい。また、カメラシステム制御部１３０は、被写体領域の区分方向および部分領域の数をユーザから受け付け、ユーザの入力に応じて被写体領域の部分領域を設定してもよい。また、カメラシステム制御部１３０は、画像処理部１３５と協働して被写体の顔を認識する顔認識機能を実行し、顔認識結果に応じて被写体領域の部分領域を設定してもよい。例えば、カメラシステム制御部１３０は、被写体領域を、顔を含む被写体中心領域と、当該被写体中心領域の左側の左側領域と、当該被写体中心領域の右側の右側領域とに区分する。
【００７２】
上述の実施形態では、ユーザが撮影前にスピードライト５０と被写体領域の各部分領域との関連付けを登録したが、スピードライト５０と被写体領域の各部分領域との関連付けが予め規定されていてもよい。例えば、カメラ１０において被写体領域の各部分領域とグループとの関連付けのテーブルが予め規定されており、ユーザが、予め規定されたテーブルに従ってスピードライト５０のグループを設定する。
【００７３】
上述の実施形態では、カメラシステム制御部１３０は、１つの部分領域を指定する部分領域指定を受け付けたが、複数の部分領域の指定を受け付けてもよい。例えば、図４（ｂ）の画面の表示中にユーザがタッチパネル３２を接触操作して境界線３２２を指定すると、カメラシステム制御部１３０は、被写体領域の中央領域と右側領域が指定されたと判断する。そして、カメラシステム制御部１３０は、図４（ｃ）の画面で入力された調光量を指示する調光指示信号を、被写体領域の右側領域に関連付けられたグループＢに属するスピードライト５０−３、５０−４と、中央領域に関連付けられたグループＣに属するスピードライト５０−５へ送信する。
【００７４】
上述の実施形態では、カメラシステム制御部１３０は、タッチパネル３２で表示中の画像の画像部分を指定する画像部分指定を受け付けたが、十字キー等の他の操作部材で画像部分指定を受け付けてもよい。また、上述の実施形態では、カメラシステム制御部１３０は、表示部３１に画像を表示させて部分領域指定を受け付けたが、表示部３１に画像を表示させずに部分領域指定を受け付けてもよい。
【００７５】
カメラシステム制御部１３０は、ライブビュー画像を解析して、ユーザ（撮影者）が被写体に対して直接的に施したマーキングの位置を特定する。そして、カメラシステム制御部１３０は、マーキングの実施を、特定したマーキングの位置を含む被写体領域の部分領域を指定する部分領域指定として認識する。例えば、ユーザがパターンを被写体に投光した場合、カメラシステム制御部１３０は、ライブビュー画像におけるパターン形状を解析し、被写体におけるパターンの位置をマーキングの位置として特定する。また、例えば、ユーザがレーザポインタで被写体を照射した場合、カメラシステム制御部１３０は、ライブビュー画像の輝度を解析して被写体におけるレーザポインタの照射位置をマーキングの位置として特定する。このように、本実施形態において、カメラシステム制御部１３０は、画像の表示の有無に依らず、画像を用いて部分領域指定を受け付ける。
【００７６】
上述の実施形態では、カメラシステム制御部１３０は、内蔵スピードライト１４３による光通信を用いてスピードライト５０と通信を実行したが、これに限らない。カメラ１０およびスピードライト５０が電波等の無線通信モジュールを内蔵し、カメラシステム制御部１３０は、当該無線通信モジュールを用いてスピードライト５０と通信を実行してもよい。
【００７７】
上述の実施形態では、静止画撮影を例に照射制御処理を説明したが、ＬＥＤ等の発光素子を備えて被写体領域を継続的に照射する照射装置が外部照射装置として用いられる場合に、動画撮影に上述の照射制御処理を適用してもよい。具体的には、カメラシステム制御部１３０は、図４（ｂ）を用いて説明した処理と同様に、表示部３１に表示中の動画の画像部分の指定を受け付ける。そして、カメラシステム制御部１３０は、図４（ｂ）および図４（ｃ）を用いて説明したように、表示部３１に表示中の動画の画像部分の指定および調光量の入力を受け付けると、入力された調光量を指示する調光指示信号を、当該画像部分に対応する部分領域に関連付けられた照射装置へ送信する。調光指示信号を受信した照射装置は、調光指示信号に応じて、発光素子の発光量の設定を変更する。
【００７８】
なお、動画撮影時においてカメラ１０の内蔵スピードライト１４３による光通信を用いて照射装置と通信すると、光通信を実行するための内蔵スピードライト１４３の発光素子の発光が動画に影響を及ぼすことがある。そこで、カメラ１０は、動画撮影時に上述の照射制御処理を実行する場合には、電波等の無線通信モジュールによる通信に切り換えて、スピードライト５０と通信する。
【００７９】
上述の実施形態では、カメラシステム制御部１３０は、スピードライト５０の発光素子の基準発光量を補正する調光量の指示を照射制御指示としてユーザから受け付けたが、照射制御指示がこれに限らない。カメラシステム制御部１３０は、基準発光量に対する相対的な値である調光量の代わりに、スピードライト５０の発光素子から放射される光束の絶対量に対応する、絶対値としての発光量の指示を照射制御指示として受け付けてもよい。また、カメラシステム制御部１３０は、スピードライト５０による照射を禁止する照射禁止指示を照射制御指示として受け付けてもよい。
【００８０】
ＲＢＧのＬＥＤ等の複数の色成分を含む光を発光する発光素子を備える照射装置が外部照射装置として用いられる場合に、カメラシステム制御部１３０は、ＲＧＢヒストグラムを表示部３１に表示させ、当該照射装置が被写体領域を照射する照射光のそれぞれの色成分を調整する色調整量を照射制御指示として受け付けてもよい。例えば、カメラシステム制御部１３０は、Ｒ成分のレベルを＋１にする指示を受け付ける。
【００８１】
上述の実施系形態において、カメラシステム制御部１３０は、上述の調光指示信号を被写体領域の部分領域に関連付けられたスピードライト５０へ送信した後に撮影を再度実行した場合に、再度の撮影で取得した撮像画像と受け付けた指示内容とに応じて各種情報を表示部３１に表示させてもよい。例えば、カメラシステム制御部１３０は、再度の撮影で取得した撮像画像と前回の撮像画像とを比較する。そして、カメラシステム制御部１３０は、指定された部分領域と異なる部分領域の輝度が変化した場合に、スピードライト５０と被写体領域の部分領域との関連付けが間違っている可能性がある旨の警告を表示部３１に表示させる。また、カメラシステム制御部１３０は、予め定められた大きさ以上の、輝度が上限値を超えた白飛び領域が、再度の撮影で取得した撮像画像に登場した場合に、点滅表示等によって白飛び領域を表示部３１に強調表示させる。
【００８２】
上述の実施形態では、カメラシステム制御部１３０は、スピードライト５０のグループを利用してスピードライト５０と被写体領域の各部分領域との関連付けを規定したが、これに限らない。カメラシステム制御部１３０は、グループを用いずに、スピードライト５０を個別に被写体領域の各部分領域に関連付けてもよい。
【００８３】
上述の実施形態において、撮像装置としてカメラ１０全体を例に説明したが、カメラボディ３０を撮像装置として捉えてもよい。上述の実施形態において、撮像装置としてレンズ交換式カメラを例に説明したが、レンズ光学系が一体的に構成されたレンズ一体型カメラに対しても本実施形態に係る概念を適用することができる。上述の実施形態において、ミラー機構を備えたカメラが撮像装置の例として用いられたが、ミラー機構のないカメラに対しても本実施形態に係る概念を適用することができる。ビデオカメラ、カメラ機能付き携帯電話、カメラ機能付きゲーム機等の撮像装置に対しても同様に本実施形態に係る概念を適用することができる。
【００８４】
以上、本発明を実施の形態を用いて説明したが、本発明の技術的範囲は上記の実施形態に記載の範囲には限定されない。上記の実施形態に、多様な変更または改良を加えることが可能であることが当業者に明らかである。その様な変更または改良を加えた形態も本発明の技術的範囲に含まれ得ることが、特許請求の範囲の記載から明らかである。
【００８５】
特許請求の範囲、明細書、および図面中において示した装置、システム、プログラム、および方法における動作、手順、ステップ、および段階等の各処理の実行順序は、特段「より前に」、「先立って」等と明示しておらず、また、前の処理の出力を後の処理で用いるのでない限り、任意の順序で実現しうることに留意すべきである。特許請求の範囲、明細書、および図面中の動作フローに関して、便宜上「まず、」、「次に、」等を用いて説明したとしても、この順で実施することが必須であることを意味するものではない。
【符号の説明】
【００８６】
１０  カメラ、２０  レンズユニット、３０  カメラボディ、３１  表示部、３２  タッチパネル、５０  スピードライト、１２０  レンズシステム制御部、１２１  光学系、１２２  レンズマウント接点、１３０  カメラシステム制御部、１３１  カメラマウント接点、１３２  システムメモリ、１３３  撮像素子、１３４  Ａ／Ｄ変換器、１３５  画像処理部、１３６  メモリ制御部、１３７  内部メモリ、１３８  表示制御部、１３９  外部機器ＩＦ、１４０  記録部、１４１  電源制御部、１４２  電源、１４３  内蔵スピードライト、１４４  操作部材、２００  ライブビュー画像、２１１、２１２  境界線、２１３  強調枠、２２０  グループ選択メニュー、２２１  Ａボタン、２２２  Ｂボタン、２２３  Ｃボタン、３００  撮像画像、３１１  記録ボタン、３１２  調光ボタン、３２１、３２２  境界線、３２３  強調枠、３３０  調光量入力メニュー、３３１  上ボタン、３３２  下ボタン、３３３  決定ボタン、４００  項目選択メニュー、４０１  調光量入力ボタン、４０２  グループ変更ボタン、４０３  グループ入替ボタン、４１１  Ａボタン、４１２  Ｃボタン
【図１】
2013250524.tif 000003
【図２】
2013250524.tif 000004
【図３】
2013250524.tif 000005
【図４】
2013250524.tif 000006
【図５】
2013250524.tif 000007
【図６】
2013250524.tif 000008